(57)【要約】【課題】回動可能なタッチパネルを備える撮像装置において、タッチパネルの位置によらずどのような位置でもタッチの操作性を損なわない快適な撮像装置を提供すること。【解決手段】回動可能なタッチパネルを備える撮像装置において、タッチパネルの操作受付感度がタッチパネル収納状態と回動状態では、回動状態の方が収納状態より操作受付感度が高く、且つタッチパネル内の操作受付感度が回動軸からの距離が長いほど操作受付感度は高く、距離が短いほど操作受付感度が低く設定することを特徴とした。また、回動可能なタッチパネルと、回動の有無を検知する回動検知センサーと、回動回数をカウントする制御部とを備える撮像装置において、回動回数に応じて操作受付感度を変更する。【選択図】図４
2018182437.tif 000002
【特許請求の範囲】
【請求項１】
回動可能なタッチパネルを備える撮像装置において、
タッチパネルの操作受付感度がタッチパネル収納状態と回動状態では、回動状態の方が収納状態よりも操作受付感度が高く設定されており、且つ、タッチパネル内の操作受付感度が回動軸からの距離が長いほど操作受付感度は高く、距離が短いほど操作受付感度が低く設定されていることを特徴とする撮像装置。
【請求項２】
回動可能なタッチパネルと、
回動の有無を検知する回動検知センサーと、
回動回数（Ｎ）をカウントする制御部と、
を備える撮像装置において、
回動回数に応じて操作受付感度を変更することを特徴とする撮像装置。
【発明の詳細な説明】
【技術分野】
【０００１】
本発明は、撮像装置に関し、特にタッチパネル制御技術に関する。
【背景技術】
【０００２】
近年の撮像装置には、タッチパネルを具備した表示装置を撮像装置の本体に対し、ヒンジ機構で連結したものがある。撮像装置と前記表示装置をヒンジ機構で連結することにより、撮影者は撮像装置に対して表示装置の位置を変更出来、様々な姿勢での撮影が可能となっている。
【０００３】
例えば、撮影者が撮像装置を手で把持して撮影者自身の姿を撮影、所謂自分撮りと言われる状態の時、表示装置を撮影者と対面する位置に回動させることで、表示画面に撮影者自身を表示しながら撮影をすることが出来る。
【０００４】
さらに表示装置にタッチパネルが具備されていることで、タッチパネル操作による撮影条件変更などを容易にしている。表示画面内の意図した位置にピントを合焦させたいとき、撮影者は表示画面の意図した位置を指先で触れるだけでピントを合焦させることが出来る。例えば、撮影者が撮影者自身を撮影する時、表示画面に表示された撮影者の顔を指で触れるだけでピントを撮影者の顔に合焦できる。
【０００５】
但し、タッチパネルを具備した表示装置において、表示装置を撮影者と対面する位置に回動させた状態で撮影者がタッチ操作を行うと、表示装置が前記位置から動いてしまい、操作性が良くなく、所望の被写体に合焦させることが困難だった。
【０００６】
上記問題の解決策として、特許文献１には、撮像装置が動かない程度にタッチパネルの操作感度を上げ、動画撮影時のタッチパネル操作による撮影画像のぶれを低減する構成が開示されている。
【先行技術文献】
【特許文献】
【０００７】
【特許文献１】特開２０１４−７５７１６号公報
【発明の概要】
【発明が解決しようとする課題】
【０００８】
しかしながら、特許文献１のように側面に表示装置を備える撮像装置で、表示装置を９０度回動させた表示装置開の状態で、手ぶれ防止のために左手で表示装置を把持しながら撮影する場合、誤操作を生じる可能性があった。つまり、タッチパネルの感度が上がっていると、タッチパネルに手が近接しただけでタッチが検出されるため、表示装置を把持しただけで意図しないタッチ操作が実行され、ユーザーの意図する操作ができないという不都合があった。
【０００９】
上述のように、タッチパネル近傍が把持される位置に配置されるときには、タッチパネルの操作感度を低く設定した方が操作性は良好になる。
【００１０】
一方、表示装置開の状態の後、表示装置を１８０度回動させて自分撮りの形態にした場合、撮影者の顔から距離を取って撮影するために片手で撮影装置の本体部を把持するので、表示装置近傍は把持されない。ゆえに、上述のような誤操作は発生しないが、タッチ操作により表示装置が回動し、表示装置が指から逃げる方向に移動するため、意図する場所を指定できない等の不都合があった。
【００１１】
つまり、自分撮り状態では、タッチ操作によりタッチパネルが動かないことが重要であり、そのためにタッチパネルが回動しない程度の力で操作できるように操作感度を上げることが操作性を向上させることになる。
【００１２】
そこで、本発明の目的は、回動可能なタッチパネルを備える撮像装置において、タッチパネルの位置によらずどのような位置でもタッチの操作性を損なわない快適な撮像装置を提供することにある。
【課題を解決するための手段】
【００１３】
上記の目的を達成するために、本発明に係る撮像装置は、
回動可能なタッチパネルを備える撮像装置において、タッチパネルの操作受付感度がタッチパネル収納状態と回動状態では、回動状態の方が収納状態より操作受付感度が高く、且つタッチパネル内の操作受付感度が回動軸からの距離が長いほど操作受付感度は高く、距離が短いほど操作受付感度が低く設定することを特徴とする。
【００１４】
また、回動可能なタッチパネルと、回動の有無を検知する回動検知センサーと、回動回数をカウントする制御部とを備える撮像装置において、回動回数に応じて操作受付感度を変更することを特徴とする。
【発明の効果】
【００１５】
本発明によれば、回動可能なタッチパネルを備える撮像装置において、タッチパネルの位置によらずどのような位置でもタッチの操作性を損なわない快適な撮像装置を提供することができる。
【図面の簡単な説明】
【００１６】
【図１】本発明に係るカメラの外観斜視図
【図２】本発明に係るカメラの三面図
【図３】本発明に係るカメラの表示装置を１８０度回動させた状態の三面図
【図４】本発明に係るタッチパネルの領域とモーメントを示した図
【図５】ヒンジ機構の回動回数と荷重の関係図
【発明を実施するための形態】
【００１７】
以下に、本発明の実施形態について説明する。
【００１８】
《第１の実施形態》
以下、図１〜図４を参照して、本発明の第1の実施形態によるカメラについて説明する。図１は、本実施形態に係るカメラ１００の外観斜視図である。
【００１９】
カメラ１００の背面には表示装置１０１を備え、カメラ１００の本体部と表示装置１０１は不図示ヒンジ機構により連結されている。表示装置１０１は、カメラ１００に対し、不図示ヒンジ機構の回転軸中心に０〜１８０度回動自在である。
【００２０】
図１（ａ）は、表示装置１０１を収納した状態、つまり表示装置１０１を０度回動させた状態図である。図１（ｂ）は、表示装置１０１を不図示ヒンジ機構の回転軸中心に１８０度回動させた状態図である。
【００２１】
図１（ｂ）の状態における撮影では、主に撮影者が撮影者自身を撮影する。撮影者は、表示装置１０１に表示された画像を見ながら意図した構図に設定し、撮影をすることができる。
【００２２】
図２は、表示装置１０１を収納した状態の、カメラ１００の三面図である。
【００２３】
表示領域（表示部）２０１は、表示装置１０１において画像データ、撮影条件などを表示する領域である。タッチパネル２０２は、表示部２０１上に配置する。本実施形態では、タッチパネル２０２は静電容量方式のタッチパネルとするが、抵抗膜方式等のタッチパネルでもよい。
【００２４】
タッチパネル２０２がタッチ操作されたかどうかの判断は、タッチパネル２０２が出力する検出値と所定の閾値をカメラ１００本体内に備える制御部が比較をして行う。制御部は、検出値が閾値を超えたとき、タッチ操作がされたと判断する。タッチ操作の感度は、前記閾値により決定され、閾値を小さく設定すると感度は上がり、閾値を大きく設定すると感度は下がる。
【００２５】
タッチ操作の感度を上げることにより、タッチパネル２０２を直接指で触れなくても、指をタッチパネル２０２に近接させるだけでタッチ操作を行うこともできる。上述のように、タッチパネル操作の感度を上げることで操作性を向上させることはできるが、逆に誤操作を引き起こす可能性がある。この内容を、図２で説明する。
【００２６】
撮影者が、カメラ１００を右手で把持して撮影するときを想定する。このとき、撮影者は、背面のタッチパネル２０２を触れないようにカメラ１００を手で把持する。
【００２７】
しかし、本実施形態のように、タッチパネル２０２がカメラ１００の背面の大部分の領域を占有している場合、タッチパネル２０２の一部を右手が覆ってしまう可能性が高い。つまり、タッチパネル２０２に対し、右手が近接した位置に配置されることになる。
【００２８】
上記状態のときに、タッチパネル２０２の感度を高めてしまうと、撮影者はタッチ操作を行っていないが、カメラ１００はタッチ操作されたと判断する可能性がある。撮影者が意図しない動作を、カメラ１００が実行することになる。つまり、撮影者は誤操作したことになる。
【００２９】
上述したことから、表示装置１０１がカメラ１００に対し、収納状態であるときは、タッチパネル２０２の感度を上げない方が使い勝手は良い。
【００３０】
図３は、表示装置１０１を１８０度回動させたとき、タッチパネルの操作性と感度の関係を示す三面図である。
【００３１】
図３の状態でカメラ１００を使用するのは、前述の通り撮影者が撮影者自身を撮影するときで、このとき撮影者はカメラ１００を左手で把持する。左手でカメラ１００を覆い隠す領域は把持領域３０１であり、図３で示す通りタッチパネル２０２と把持領域３０１は重ならない。つまり、撮影者の左手とタッチパネル２０２が近接しないことから、カメラ１００を把持することによる誤操作は発生しない。
【００３２】
しかし、図３の状態で撮影者がタッチパネル２０２をタッチ操作すると、表示装置１０１は回動角度１８０の状態から回動角度０度の方向に回動してしまう。つまり、タッチ操作する指からタッチパネル２０２が逃げる方向に移動するため、撮影者が意図する場所を指定できない等の不都合が生じる。
【００３３】
そこで、図４を用いて本実施形態の詳細を説明する。図４は、本実施形態の内容を示すカメラ１００の外観図である。
【００３４】
タッチパネル２０２は、ヒンジ機構の回転軸Ｋからの距離に応じて領域が３分割されており、それぞれの領域で閾値が設定されている。回転軸Ｋに近い方から、領域Ｌ、領域Ｍ、領域Ｈとなっており、回転軸Ｋから各領域の中央部までの距離をそれぞれＬ１、Ｌ２、Ｌ３とする。各領域の中央部を荷重Ｆの力で押印したときを考えて発生する回転モーメントをＭ１、Ｍ２、Ｍ３とすると、以下のような式で表わされる。
【００３５】
Ｍ１＝Ｆ・Ｌ１
Ｍ２＝Ｆ・Ｌ２
Ｍ３＝Ｆ・Ｌ３
Ｌ１＜Ｌ２＜Ｌ３の関係から、Ｍ１＜Ｍ２＜Ｍ３の関係式で表わされる。
【００３６】
つまり、回転軸Ｋから距離が離れているほど低荷重で表示装置１０１が回動してしまうので、領域Ｈが最も操作が困難な位置であることが分かる。そこで、本実施形態では、タッチ操作で表示装置１０１を回動させることなく、全ての領域で良好なタッチ操作を可能とするために、各領域のタッチ操作の閾値を変更することを特徴とする。
【００３７】
各領域の閾値を閾値Ｌ、閾値Ｍ、閾値Ｈとし、それぞれの以下の関係式に設定する。
閾値Ｌ＞閾値Ｍ＞閾値Ｈ
上述のとおり、閾値が小さいほど感度が高いことから、領域Ｈの感度が最も高く、領域Ｌの感度が最も低く設定する。このことから、回転軸Ｋからの距離に応じて感度を変更することにより、タッチ操作で表示装置１０１を回動させることなく、全ての領域で良好なタッチ操作を可能とする。
【００３８】
つまり、上述したように、回動可能なタッチパネルを備えた撮像装置において、タッチ操作によりタッチパネルが回動してしまう構造においても、操作性を損なうことなくタッチ操作可能な撮像装置を提供できる。
【００３９】
《第２の実施形態》
次に、本発明の第２の実施形態によるカメラについて説明する。タッチパネル２０２の領域に応じて感度を変更すること以外は、第１の実施形態を同様である。このため、重複する説明は省略し、相違点について説明する。
【００４０】
カメラ１００本体内部には、表示装置１０１が１８０回動されたかを判定する回動検知センサーを備える。また、回動センサーが検知した回動回数Ｎをカウントする制御部を備える。
【００４１】
図５は、カメラ１００の本体部と不図示ヒンジ機構で連結された表示装置１０１を回動させるため必要な回動力Ｆと回動回数Ｎとの関係を表したグラフである。
【００４２】
図５で示した通り、通常ヒンジ機構を回動させるための回動力Ｆは回動回数を増すことにより徐々に減少する。つまり、回動回数Ｎの増加に伴い、小さな回動力Ｆで表示装置１０１を回動させることができる。言い換えれば、回動回数Ｎによりタッチ操作の操作感が変化することになる。
【００４３】
本実施形態では、図５のとおり、回動回数Ｎが０〜２０００回では閾値１、２００１〜８０００回は閾値２、８０００回以上を閾値３とする。閾値１、２、３の関係式は、
閾値１＞閾値２＞閾値３であり、感度に置き換えれば、回動回数Ｎの増加に応じて感度を高くすることになる。
【００４４】
本実施形態では、上述の通り回動回数Ｎに応じて感度を決定する閾値を変更することを特徴とする。つまり、上述したように、表示装置１０１の回動回数に応じで操作感が変化せず、操作性を損なうことなくタッチ操作可能な撮像装置を提供できる。
【００４５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００４６】
以上、本発明の好ましい実施形態について説明したが、本発明はこれらの実施形態に限定されず、その要旨の範囲内で種々の変形及び変更が可能である。
【符号の説明】
【００４７】
１００  カメラ本体、１０１  表示装置、２０１  表示領域、
２０２  タッチパネル、３０１  把持領域
【図１】
2018182437.tif 000003
【図２】
2018182437.tif 000004
【図３】
2018182437.tif 000005
【図４】
2018182437.tif 000006
【図５】
2018182437.tif 000007